(57)【要約】【課題】点滴等の輸液の進行状況や、麻酔薬等を投薬した後の薬効消失状況を、複雑で高価な装置を使用することなく常に適切なタイミングで報知可能にする。【解決手段】ナースコール親機２において、患者への点滴に先立ち医師のオーダデータを入力すると共に点滴の開始時刻を入力する。そして、この入力されたオーダデータ及び点滴開始時刻をもとに点滴の途中経過を表す複数の時刻及び点滴終了時刻を演算により予測し、この予測された途中経過を表す各時刻になった時点で途中経過を示す表示パターンを更新すると共に、点滴終了時刻の一定時間前になった時点で点滴終了を示すアイコン６ｂをアニメーション表示する。【選択図】      図２
2005237666.tif 000002
【特許請求の範囲】
【請求項１】
患者への輸液又は投薬に先立ちその詳細を表すオーダデータを入力する手段と、
前記輸液又は投薬の開始時刻を表すデータを入力する手段と、
前記入力されたオーダデータ及び開始時刻を表すデータをもとに輸液終了時刻又は薬効消失時刻を予測する手段と、
前記予測された輸液終了時刻又は薬効消失時刻の所定時間前に輸液終了又は薬効消失を表すメッセージを報知する手段と
を具備することを特徴とするナースコール親機。
【請求項２】
前記入力されたオーダデータ及び輸液開始時刻を表すデータをもとに、輸液した量又は輸液残量が所定値となる途中経過時刻を予測する手段と、
前記予測された途中経過時刻において輸液の途中経過を表すメッセージを報知する手段と
を、さらに具備することを特徴とする請求項１記載のナースコール親機。
【請求項３】
前記入力されたオーダデータ及び投薬開始時刻を表すデータをもとに、薬効が消失するまでの残り時間を予測する手段と、
前記予測された残り時間を表すメッセージを報知する手段と
を、さらに具備することを特徴とする請求項１記載のナースコール親機。
【請求項４】
前記オーダデータを入力する手段は、患者の患者識別情報をオーダデータに含めて又は付加して入力し、
前記メッセージを報知する手段は、前記入力された患者識別情報に基づき、当該患者を表す情報に対応付けて前記メッセージを報知することを特徴とする請求項１乃至３のいずれかに記載のナースコール親機。
【請求項５】
前記メッセージを報知する手段は、輸液終了又は薬効消失を表すアイコンをアニメーション表示すると共に、輸液終了又は薬効消失を表す音を発生することを特徴とする請求項１記載のナースコール親機。
【請求項６】
ナースステーションに設置されるナースコール親機と、
病室に設置されるか又は医療スタッフにより携帯可能に構成され、前記ナースコール親機に対し通信回線を介して接続可能な端末と
を具備し、
前記端末は、
患者への輸液又は投薬に先立ちその詳細を表すオーダデータを入力する手段と、
前記輸液又は投薬の開始時刻を表すデータを入力する手段と、
前記入力されたオーダデータ及び開始時刻を表すデータを、前記通信回線を介して前記ナースコール親機へ送信する手段と
を備え、
前記ナースコール親機は、
前記端末から送信されたオーダデータ及び開始時刻を表すデータを受信する手段と、
前記受信されたオーダデータ及び開始時刻を表すデータをもとに、輸液終了時刻又は薬効消失時刻を予測する手段と、
前記予測された輸液終了時刻又は薬効消失時刻の所定時間前に輸液終了又は薬効消失を表すメッセージを報知する手段と
を備えることを特徴とするナースコールシステム。
【発明の詳細な説明】
【技術分野】
【０００１】
この発明は、例えば病院や介護施設で使用されるナースコールシステムと、ナースステーションに設置されるナースコール親機に関する。
【背景技術】
【０００２】
一般に、ナースコールシステムは、各病室に呼出ボタンを有する呼出子機をそれぞれ設置すると共に、ナースステーションにナースコール親機を設置している。そして、患者が呼出ボタンを操作した場合に、呼出子機からナースコール親機へ呼出信号を送信し、ナースコール親機で鳴音を発生したり呼出子機を表すアイコンを変色表示させることにより呼出の発生を報知し、さらに呼出元の患者の氏名や属性等を表示器に表示するように構成されている。
【０００３】
このため看護師は、ナースステーションにおいて上記呼出報知と患者の氏名等により呼出の発生と呼出元の患者を認識することができる。そして、ナースコール親機と呼出元の呼出子機との通話機能を使用して患者の要求を聞き出すことができ、その上で必要な看護処置を実施することができる（例えば、特許文献１を参照。）。
【０００４】
【特許文献１】特許第２８８７５５２号公報
【発明の開示】
【発明が解決しようとする課題】
【０００５】
ところが、従来のこの種のシステムは、患者が呼出ボタンを操作しない限りナースコール親機で呼出が報知されない。このため、例えば点滴や麻酔が行われた患者については、医師又は看護師が定期的に病室に出向いて輸液の終了又は薬効の消失を確認するか、又は患者自身が呼出ボタンを押して輸液の終了又は薬効の消失を医師又は看護師に知らせなければならない。したがって医師又は看護師は、輸液の終了又は薬効の消失を常に適切なタイミングで把握できるとは限らず、場合によってはその後の処置に遅れが発生することになり非常に好ましくない。
【０００６】
そこで、例えば輸液装置にセンサを設け、輸液の終了をセンサで検出してその検出信号をナースコール親機に伝送することにより輸液の終了を報知するシステムが考えられている。しかし、このようなシステムは輸液装置の複雑化及び大型化を招くと共に、装置がきわめて高価になるため実用性に乏しい。
【０００７】
この発明は上記事情に着目してなされたもので、その目的とするところは、輸液の進行状況や投薬後の薬効の消失状況を、複雑で高価な装置を使用することなく常に適切なタイミングで報知できるようにし、これにより医療スタッフの負担の軽減と医療看護の品質向上を図ったナースコール親機及びナースコールシステムを提供することにある。
【課題を解決するための手段】
【０００８】
上記目的を達成するためにこの発明は、ナースコール親機に、患者への輸液又は投薬に先立ちその詳細を表すオーダデータを入力すると共に、上記輸液又は投薬の開始時刻を表すデータを入力する手段を備える。そして、上記入力されたオーダデータ及び開始時刻を表すデータをもとに輸液終了時刻又は薬効消失時刻を予測し、この予測された輸液終了時刻又は薬効消失時刻の所定時間前に輸液終了又は薬効消失を表すメッセージを報知するように構成したものである。
【０００９】
したがってこの発明によれば、輸液の終了又は薬効の消失が常に適切なタイミングで自動報知されることになる。このため、医師や看護師等の医療スタッフは、定期的に病室に出向いて輸液の終了又は薬効の消失を確認する必要がなく、また患者自身による呼出しに頼ることなく、輸液の終了又は薬効の消失を常に確実に知ることができる。したがって、その後の処置を遅れることなく適切なタイミングで行うことが可能となり、これにより医療スタッフの負担の軽減と医療看護品質の向上を図ることが可能となる。
【００１０】
しかも、輸液装置にセンサ等を用いた複雑な検出機能や検出報知機能を設ける必要がないので、輸液装置の複雑化や大型化、高価格化を招かずに済む。また薬効の消失を監視するために例えばセンサ等を用いて患者の動きを検出する装置を設置する必要がなくなるので、システムの複雑化や大型化、高価格化を防止できる。
【００１１】
またこの発明は、上記入力されたオーダデータ及び輸液開始時刻を表すデータをもとに、輸液した量又は輸液残量が所定値となる途中経過時刻を予測し、この予測された途中経過時刻において輸液の途中経過を表すメッセージを報知する手段を、ナースコール親機にさらに備えることも特徴とする。  
このように構成すると、輸液中にその途中経過を表す情報が報知されるので、医療スタッフは輸液の進行状況を確認したり、輸液の終了に備えて自身のスケジュールを立てることが可能となる。
【００１２】
さらにこの発明は、上記入力されたオーダデータ及び投薬実施時刻を表すデータをもとに薬効が消失するまでの残り時間を予測し、この予測された残り時間を表す情報を報知する手段を、さらにナースコール親機に備えることを特徴とする。  
このように構成すると、薬効が消失するまでの残り時間が予測されて表示されるので、医療スタッフは薬効が消失するまでの間に病室に出向いて患者の容体を確認したり、薬効の消失に備えて次の処置の準備を始めることが可能となる。
【００１３】
また、この発明は次のような具体的な構成を備えることも特徴としている。  
第１の構成は、上記オーダデータを入力する際に、患者の患者識別情報をオーダデータに含めて入力し、輸液終了又は薬効消失を表すメッセージを報知する際に、上記入力された患者識別情報に基づき当該患者を表す情報に対応付けて輸液終了又は薬効消失を表すメッセージを報知するものである。このように構成すると、輸液の終了又は薬効の終了が患者別に報知される。このため、例えば複数の患者に対し並行して輸液が行われている場合でも、どの患者の輸液が終了したかを医療スタッフが明確に把握することが可能となる。また、術後の患者や麻酔薬が投与された患者が複数存在する場合でも、どの患者の薬効が消失したかを医療スタッフが明確に把握することが可能となる。
【００１４】
第２の構成は、輸液終了又は薬効の消失を表すメッセージを報知する際に、輸液終了又は薬効消失を表すアイコンをアニメーション表示すると共に、輸液終了又は薬効消失を表す音を発生するものである。このようにすると、輸液の終了又は薬効の消失がアニメーションと音により報知される。このため、例えば輸液終了又は薬効消失以外に報知すべき情報がある場合にも、輸液の終了又は薬効の消失を他の報知情報と区別して明確に報知することが可能となる。
【００１５】
一方、上記目的を達成するためにこの発明に係わるナースコールシステムは、ナースコール親機に対し通信回線を介して接続可能な端末を病室に設置するか又は医療スタッフに携帯させ、この端末に、患者への輸液に先立ちその総量及び単位時間当たりの流量を含むオーダデータを入力すると共に、輸液の開始時刻を表すデータを入力する手段を設ける。そして、上記入力されたオーダデータ及び輸液開始時刻を表すデータを端末から通信回線を介してナースコール親機へ送信する。一方、ナースコール親機には、上記端末から送信されたオーダデータ及び輸液開始時刻を表すデータを受信する手段を設け、この受信されたオーダデータ及び輸液開始時刻を表すデータをもとに輸液終了時刻を予測し、この予測された輸液終了時刻の所定時間前に輸液終了メッセージを報知するように構成したものである。
【００１６】
したがって、このようなシステムであれば、医療スタッフは病室で端末を使用することによりオーダデータ及び開始時刻を入力することが可能となる。このため医療スタッフは、一旦ナースステーションに戻ってナースコール親機にオーダデータ及び開始時刻を入力する必要がなくなるので、その分作業負担が軽減される。また、輸液開始後又は投薬後にその場でオーダデータ及び開始時刻を入力できることから、データの入力忘れを防止することができ、また入力遅延を生じることなく開始時刻を正確に入力することができる。このため、輸液終了時刻又は薬効終了時刻の予測精度を高く維持することができる。
【発明の効果】
【００１７】
要するにこの発明では、患者への輸液または投薬に先立ちオーダデータを入力すると共に、上記輸液または投薬の開始時刻を表すデータを入力し、上記入力されたオーダデータ及び開始時刻を表すデータをもとに輸液終了時刻または薬効消失時刻を予測し、この予測された輸液終了時刻または薬効消失時刻の所定時間前になった時点で輸液終了または薬効消失を表すメッセージを報知するようにしている。  
したがってこの発明によれば、輸液の進行状況や投薬後の薬効の消失状況を、複雑で高価な装置を使用することなく常に適切なタイミングで報知できるようになり、これによりできるようにし、医療スタッフの負担の軽減と医療看護の品質向上を図り得るナースコール親機及びナースコールシステムを提供することができる。
【発明を実施するための最良の形態】
【００１８】
（第１の実施形態）  
この発明の第１の実施形態は、ナースコール親機において、患者への点滴に先立ち医師のオーダデータを入力すると共に点滴の開始時刻を入力する。そして、この入力されたオーダデータ及び点滴開始時刻をもとに点滴の途中経過を表す複数の時刻及び点滴終了時刻を演算により予測し、この予測された途中経過を表す各時刻になった時点で途中経過を表示すると共に、点滴終了時刻の一定時間前になった時点で点滴終了メッセージをアニメーション表示するようにしたものである。
【００１９】
図１は、この発明に係わるナースコールシステムの第１の実施形態を示す概略構成図である。なお、この実施形態では病棟に設置される看護支援用のナースコールシステムを例にとって説明する。
ナースコールシステムは、各病室にそれぞれ設置される病室ユニット１１〜１ｎと、ナースステーションに設置されるセンタ装置としてのナースコール親機２とを備える。これらの病室ユニット１１〜１ｎとナースコール親機２との間はそれぞれ通信線路を介して接続される。またナースコールシステムは、例えば病院内の通信センタに設置されるハンディナースコール主装置３及び構内交換機（ＰＢＸ：Private Branch Exchange）４を備える。ハンディナースコール主装置３には無線ユニット６が接続され、またＰＢＸ４は公衆網５に接続される。
【００２０】
さらに、上記ナースコール親機２は、例えばＬＡＮ（Local Area Network）７を介して看護支援サーバ９に接続される。看護支援サーバ９は、看護支援のための種々情報を記憶し管理する。なお、１０は上記看護支援サーバ９に記憶されたデータをプリントアウトするために使用されるプリンタ、８は上記看護支援サーバ９及びプリンタ１０をＬＡＮ７に接続するためのハブである。
【００２１】
病室ユニット１１〜１ｎは、病室の天井等に設置されたマイクロホン１０１及びスピーカ１０２と、トイレ・浴室用押しボタン１０３と、代表廊下灯１０４と、復旧ボタン１０５とを備え、これらはＩ／Ｏユニット１０６を介して個別情報廊下灯１０７に接続される。また病室ユニット１１〜１ｎは、ハンド型子機１０９及び握り押しボタン１１０を備え、これらは病床の壁に設けられた壁埋め込み型子機１０８を介して上記個別情報廊下灯１０７に接続される。
【００２２】
このうち、握り押しボタン１１０及びトイレ・浴室用押しボタン１０３は患者が看護師を呼び出す際に使用するもので、その操作信号はそれぞれ壁埋め込み型子機１０８又はＩ／Ｏユニット１０６を介して個別情報廊下灯１０７に伝えられる。また、壁埋め込み型子機１０８に設けられた押しボタンが押下された場合にも、操作信号が個別情報廊下灯１０７に伝えられる。個別情報廊下灯１０７は、上記各押しボタンの操作信号を受信すると、自身の表示部に呼出しの発生を表示する。またそれと共に、呼出信号を生成してナースコール親機２へ送信する。呼出信号には、押しボタンの番号またはアドレス情報が挿入される。
【００２３】
マイクロホン１０１とスピーカ１０２、ハンド型子機１０９及び壁埋め込み型子機１０８は、患者が呼出しに対し応答した看護師と通話を行うために使用するもので、その通話信号は通話路を介してナースコール親機２へ送信される。通話路は、ナースコール親機２において看護師が患者の呼出しに対し応答操作することにより確立される。なお、復旧ボタン１０５は上記呼出しをリセットする場合に使用される。
【００２４】
ハンディナースコール主装置３は、例えば構内ＰＨＳ（Personal Handyphone System）対応の交換装置からなるもので、交換制御部やタイムスイッチの他に、複数の内線インタフェースと、局線インタフェースと、保守インタフェースとを備える。各内線インタフェースにはそれぞれ無線ユニット６の無線基地局６１，６２が接続される。無線基地局６１，６２はそれぞれ無線エリアを形成し、この無線エリア内に存在する携帯端末７１〜７ｍに対し無線回線を介して接続される。局線インタフェースには上記ＰＢＸ４が接続される。
【００２５】
ところで、ナースコール親機２は次のように構成される。図２はその機能構成を示すブロック図である。  
すなわち、ナースコール親機２は、制御部として例えばマイクロコンピュータを使用する中央処理ユニット（ＣＰＵ：Central Processing Unit）２０を備える。このＣＰＵ２０には、プログラムメモリ２１及びデータメモリ２２が接続されており、さらに通信インタフェース２３，２４と、ネットワークインタフェース２５と、通話インタフェース２６と、入力表示インタフェース２７がそれぞれ接続されている。
【００２６】
このうち通信インタフェース２３は、ＣＰＵ２０の制御の下、上記各病室ユニット１１〜１ｎとの間で信号の伝送を行う。同様に通信インタフェース２４は、ＣＰＵ２０の制御の下、上記ハンディナースコール主装置３との間で信号の送受信を行う。ネットワークインタフェース２５は、ＣＰＵ２０の制御の下、上記ＬＡＮ７を介して看護支援サーバ９及びプリンタ１０との間で信号の送受信を行う。
【００２７】
通話インタフェース２６には、看護師が患者との間で通話を行うために使用するマイクロホン２６１及びスピーカ２６２が接続されている。通話インタフェース２６は、病室ユニット１１〜１ｎとの間に通話路が形成された状態で、マイクロホン２６１から出力された話者の送話信号を符号化してＣＰＵ２０へ出力すると共に、ＣＰＵ２０から供給された受話データを復号して受話信号を再生し、この受話信号をスピーカ２６２から拡声出力する。またスピーカ２６２は、患者から呼出が発生した時に鳴音やメロディを出力する際にも使用される。
【００２８】
入力表示インタフェース２７には、タッチパネル／表示器２７１が接続される。タッチパネル／表示器２７１は、例えばＣＲＴ又はＬＣＤからなる表示器の表示画面上に透明の感圧シートを貼付したもので、情報の表示機能と入力機能とを併せ持っている。入力表示インタフェース２７は、ＣＰＵ２０から供給された表示情報を上記タッチパネル／表示器２７１に表示すると共に、タッチパネル／表示器２７１において入力された操作情報をＣＰＵ２０に供給する。
【００２９】
データメモリ２２には、患者情報データベース２２ａおよび入力データ記憶部２２ｂが設けられている。患者情報データベース２２ａには、患者の識別コードに対応付けて、病名、検査又は処置のスケジュールとその内容、患者の年齢や性別、体重、体質等の個人情報が記憶される。入力データ記憶部２２ｂには、上記タッチパネル／表示器２７１により入力された、点滴に対する医師のオーダデータ及び点滴開始時刻が患者識別コードに対応付けて記憶される。オーダデータには、点滴の総量及び単位時間当たりの流量を指定する情報が含まれる。
【００３０】
プログラムメモリ２１には、この発明の第１の実施形態を実現するためのアプリケーション・プログラムとして、データ入力制御プログラム２１ａと、点滴進行状況予測プログラム２１ｂと、予測結果表示制御プログラム２１ｃが格納されている。  
データ入力制御プログラム２１ａは、上記タッチパネル／表示器２７１によりオーダデータ及び点滴開始時刻の入力操作が行われた場合に、入力されたオーダデータ及び点滴開始時刻を表すデータを入力表示インタフェース２７を介して取り込み、これらの入力データを患者識別コードに対応付けて入力データ記憶部２２ｂに格納する。
【００３１】
点滴進行状況予測プログラム２１ｂは、点滴中の患者ごとに、上記入力されたオーダデータ及び点滴開始時刻を表すデータをもとに点滴の途中経過を表す複数の時刻及び点滴終了時刻を演算により予測する。  
予測結果表示制御プログラム２１ｃは、上記予測された途中経過を表す各時刻になるごとに、タッチパネル／表示器２７１の該当患者表示領域に表示される点滴途中経過を示す表示パターンを更新する。また、点滴終了時刻の一定時間前になった時点で、点滴終了を示すアイコンを上記該当患者の表示領域にアニメーション表示すると共にスピーカ２６２から鳴音を発生させる。
【００３２】
次に、以上のように構成されたナースコール親機２において行われる点滴状況報知動作を説明する。図３はその制御手順と制御内容を示すフローチャートである。  
患者に対し点滴を行う場合、看護師は先ず医師から指示されたオーダデータをナースコール親機２において入力する。このオーダデータの入力は、例えば図４に示すようにタッチパネル／表示器２７１に表示される患者の一覧画面において先ず該当患者を指定する。そして、この指定により開かれるデータ入力画面において、点滴の総量及び単位時間当たりの流量を示す数値データを選択又は入力することによりなされる。
【００３３】
ナースコール親機２は、図３に示すようにステップ３ａでオーダデータの入力操作を監視している。この状態で、タッチパネル／表示器２７１において患者が指定されたのち数値データが入力されると、ステップ３ｂにより上記入力された数値データを取り込み、この数値データを患者識別コードと共にオーダデータとして入力データ記憶部２２ｂに保存する。
【００３４】
看護師は、続いて病室に出向いて上記医師のオーダデータに従い点滴の準備を行い、患者に対し点滴を開始する。そしてナースステーションに戻り、ナースコール親機２のタッチパネル／表示器２７１に表示されている患者の一覧画面において該当患者を指定したのち、点滴開始時刻を入力する。ナースコール親機２は、上記点滴開始時刻の入力操作をステップ３ｃで検出するとステップ３ｄに移行し、ここで次のように点滴進行状況の予測演算を行う。
【００３５】
すなわち、先ず上記指定された患者の識別コードをもとに、入力データ記憶部２２ｂから該当患者のオーダデータを読み出す。そして、この読み出されたオーダデータ、つまり点滴の総量及び単位時間当たりの流量と、上記入力された点滴開始時刻とをもとに、点滴の途中経過を示す複数の時刻及び点滴終了時刻をそれぞれ算出する。  
なお、上記点滴開始時刻の入力受け付けは、点滴開始時刻それ自体を受け付けてもよいが、タッチパネル／表示器２７１に表示される点滴開始ボタンが押された時点での内蔵時計の時刻を取り込むようにしてもよい。
【００３６】
上記予測演算を終了するとナースコール親機２は、先ずタッチパネル／表示器２７１に表示されている患者一覧画面中の該当患者の表示領域に、例えば図５に示すように点滴中であることを示すアイコン５ａを表示する。次に、ステップ３ｅにより計時動作を行いながら、その計時時刻が上記算出された点滴途中経過を示す複数の時刻のいずれかに達したか否かをステップ３ｆで判定する。そして、計時時刻が点滴途中経過を示す時刻の一つに達すると、ステップ３ｇに移行してここで途中経過表示パターンの表示を変更する。例えば、図６に示すように途中経過表示パターン６ａの表示ブロック数を一つ減少させる。以後同様に、計時時刻が点滴途中経過を示す時刻の一つに達するごとに、途中経過表示パターン６ａの表示ブロック数を一つずつ減少させる。したがって、医師又は看護師は上記表示ブロック数から点滴の進行状況を確認することができる。
【００３７】
また、それと同時にナースコール親機２は、計時時刻が上記算出された点滴終了時刻より一定時間前に設定した時刻に達したか否かをステップ３ｈにより監視する。そして、計時時刻が上記点滴終了時刻より一定時間前の時刻に達すると、ステップ３ｉに移行してここで点滴終了メッセージを表示する。例えば、タッチパネル／表示器２７１に表示されている患者一覧画面中の該当患者表示領域において、図６（Ａ）に示すように点滴中であることを示す大きなアイコン６ｂを表示する。そして、このアイコン６ｂの表示を、図６（Ａ）に示す通常の形態と図６（Ｂ）に示すように強調された形態との間で、一定の時間間隔で交互に変化させる。
【００３８】
また、それと共にナースコール親機２は、点滴終了時刻が近付いたことを示す鳴音、或いは音声メッセージをステップ３ｊにおいて発生させる。音声メッセージとしては、例えば「まもなく点滴が終了します」が用いられる。かくして医師又は看護師は、ナースステーションにおいて点滴が終了に近付いたことを認識することが可能となる。
【００３９】
以上述べたように第１の実施形態では、ナースコール親機２において、患者への点滴に先立ち医師のオーダデータを入力すると共に点滴の開始時刻を入力する。そして、この入力されたオーダデータ及び点滴開始時刻をもとに点滴の途中経過を表す複数の時刻及び点滴終了時刻を演算により予測し、この予測された途中経過を表す各時刻になった時点で途中経過を示す表示パターンを更新すると共に、点滴終了時刻の一定時間前になった時点で点滴終了を示すアイコン６ｂをアニメーション表示するようにしている。
【００４０】
したがって、点滴の終了が常にその一定時間前に自動報知されることになる。このため、医師や看護師等の医療スタッフは、定期的に病室に出向いて点滴の終了を確認する必要がなく、また患者自身による呼出しに頼ることなく、点滴の終了を常に的確に知ることができる。したがって、医療スタッフの負担を軽減することができ、さらに点滴終了後の処置を常に適切なタイミングで実施できるようになることから医療に対する患者の信頼感を高めることができる。しかも、点滴装置にセンサ等を用いた複雑な検出機能や通信機能を設ける必要がなく、標準的な点滴器具をそのまま使用できるので、点滴装置の高価格化を招かずに済む。また、点滴終了を示すアイコンを作成してこのアイコンをアニメーション表示し、かつ鳴音を発生するようにしている。このため、点滴の終了を他の報知情報と区別して明確に報知することができる。
【００４１】
また、点滴終了時刻ばかりでなく、点滴途中経過を表示パターン６ａにて表示するようにしているので、医療スタッフはナースコール親機２において点滴の進行状況を確認することができ、点滴終了後の処置に備えて余裕を持って準備を行うことが可能となる。さらに、患者ごとに点滴の進行状況及び点滴の終了時刻が予測されて報知されるので、複数の患者に対し並行して点滴が行われる場合でも、医療スタッフは患者別に点滴の進行状況及び点滴の終了時刻を把握することが可能となる。
【００４２】
（第２の実施形態）  
この発明の第２の実施形態は、ナースコール親機において、患者に対し麻酔を行う際に医師のオーダデータを入力すると共に麻酔の開始時刻を入力する。そして、この入力されたオーダデータ及び麻酔開始時刻をもとに薬効の消失経過を示す複数の時刻及び薬効消失時刻を演算により予測し、この予測された消失経過を表す情報を表示すると共に、薬効消失時刻の一定時間前に薬効消失メッセージを表示するようにしたものである。
【００４３】
図７は、この発明に係わるナースコール親機の第２の実施形態を示す機能ブロック図である。なお、同図において前記図２と同一部分には同一符号を付して詳しい説明は省略する。また、ナースコールシステムの構成については、第１の実施形態と同一であるため図１を使用して説明する。
【００４４】
プログラムメモリ２１０には、この発明の第２の実施形態を実現するためのプログラムとして、データ入力制御プログラム２１０ａと、薬効消失状況予測プログラム２１０ｂと、予測結果表示制御プログラム２１０ｃが格納されている。  
データ入力制御プログラム２１０ａは、タッチパネル／表示器２７１によりオーダデータ及び投薬実施時刻の入力操作が行われた場合に、入力されたオーダデータ及び点滴開始時刻を表すデータを入力表示インタフェース２７を介して取り込み、これらの入力データを患者識別コードに対応付けて入力データ記憶部２２０ｂに格納する。
【００４５】
薬効消失状況予測プログラム２１０ｂは、投薬した患者ごとに、患者情報データベース２２０ａに記憶された患者の年齢や性別、体重、体質等の個人情報と、上記入力されたオーダデータ及び投薬実施時刻を表すデータとに基づいて、薬効の消失経過を表す複数の時刻及び薬効消失時刻を演算により予測する。
【００４６】
予測結果表示制御プログラム２１０ｃは、上記予測された途中経過を表す各時刻になった時点で、タッチパネル／表示器２７１の該当患者表示領域に表示される薬効消失経過を示す表示パターンを更新する。また、薬効消失時刻の一定時間前になった時点で、上記表示パターンを点滅表示すると共にスピーカ２６２から鳴音を発生させる。
【００４７】
次に、以上のように構成されたナースコール親機２による薬効消失報知動作を説明する。図８はその制御手順と制御内容を示すフローチャートである。  
例えば手術に先立ち患者に麻酔を行う場合、看護師は先ず医師から指示されたオーダデータをナースコール親機２において入力する。このオーダデータの入力は、例えば図４に示すようにタッチパネル／表示器２７１に表示される患者の一覧画面において先ず該当患者を指定する。そして、この指定により開かれるデータ入力画面において、薬品識別情報と投薬量を示す数値データを選択又は入力することによりなされる。
【００４８】
ナースコール親機２は、図８に示すようにステップ８ａでオーダデータの入力操作を監視している。この状態で、タッチパネル／表示器２７１において患者が指定されたのち数値データが入力されると、ステップ８ｂにより上記入力された薬品識別情報と投薬量を示す数値データを取り込み、この取り込まれたデータを患者識別コードと共にオーダデータとして入力データ記憶部２２０ｂに保存する。
【００４９】
看護師は、続いて病室に出向いて上記医師のオーダデータに従い麻酔の準備を行い、患者に対し麻酔薬を投与する。そしてナースステーションに戻り、ナースコール親機２のタッチパネル／表示器２７１に表示されている患者の一覧画面において該当患者を指定したのち、投薬実施時刻を入力する。ナースコール親機２は、上記投薬実施時刻の入力操作をステップ８ｃで検出するとステップ８ｄに移行し、ここで次のように薬効消失経過の予測演算を行う。
【００５０】
すなわち、先ず上記指定された患者の識別コードをもとに、患者情報データベース２２０ａから該当患者の個人情報を読み出すと共に、入力データ記憶部２２ｂから該当患者のオーダデータを読み出す。そして、読み出された個人データ、つまり患者の年齢や性別、体重、体質と、読み出されたオーダデータ、つまり点滴の総量及び単位時間当たりの流量と、上記入力された投薬実施時刻とをもとに、薬効消失経過を示す複数の時刻及び薬効消失時刻をそれぞれ算出する。  
なお、上記投薬実施時刻の入力受け付けは、投薬実施時刻それ自体を受け付けてもよいが、タッチパネル／表示器２７１に表示される投薬実施ボタンが押された時点での内蔵時計の時刻を投薬実施時刻として取り込むようにしてもよい。
【００５１】
上記予測演算を終了するとナースコール親機２は、先ずタッチパネル／表示器２７１に表示されている患者一覧画面中の該当患者の表示領域に、麻酔中であることを示すアイコンを表示する。次に、ステップ８ｅにより計時動作を行いながら、その計時時刻が上記算出された薬効消失経過を示す複数の時刻のいずれかに達したか否かをステップ８ｆで判定する。そして、計時時刻が薬効消失経過を示す時刻の一つに達すると、ステップ８ｇに移行してここで薬効消失経過表示パターンの表示を変更する。例えば、図１０に示すように薬効消失経過表示パターン９ａの表示ブロック数を一つ減少させる。以後同様に、計時時刻が薬効消失経過を示す時刻の一つに達するごとに、経過表示パターン９ａの表示ブロック数を一つずつ減少させる。したがって、医師又は看護師は上記表示ブロック数から薬効の消失状況を確認することができる。
【００５２】
また、それと同時にナースコール親機２は、計時時刻が上記算出された薬効消失時刻より一定時間前に設定した時刻に達したか否かをステップ８ｈにより監視する。そして、計時時刻が上記薬効消失時刻より一定時間前の時刻に達すると、ステップ８ｉに移行してここで薬効が消失した旨を表示する。例えば、タッチパネル／表示器２７１に表示されている患者一覧画面中の該当患者表示領域において、経過表示パターン９ａの最左端ブロックを図１０に示すように点滅させる。
【００５３】
また、それと共にナースコール親機２は、薬効消失時刻が近付いたことを示す鳴音、或いは音声メッセージをステップ８ｊにおいて発生させる。音声メッセージとしては、例えば「まもなく麻酔から覚めます」が用いられる。かくして医師又は看護師は、ナースステーションに居ながらにして、例えば術後の患者が麻酔から覚める時刻が近付いたことを認識することが可能となる。
【００５４】
以上述べたように第２の実施形態では、ナースコール親機２において、患者に対し麻酔を行う際に医師のオーダデータを入力すると共に麻酔薬の投薬実施時刻を入力する。そして、この入力されたオーダデータ及び投薬実施時刻をもとに薬効の消失経過を示す複数の時刻及び薬効消失時刻を演算により予測し、この予測された消失経過を表す情報を表示すると共に、薬効消失時刻の一定時間前に薬効消失時刻が近付いた旨のメッセージを表示するようにしている。
【００５５】
したがって、麻酔が切れると予測される時刻の一定時間前に薬効消失メッセージが自動報知されることになる。このため、医師や看護師等の医療スタッフは、定期的に病室に出向いて患者が麻酔から覚醒したか否かを確認する必要がなく、また覚醒後の患者自身による呼出しに頼ることなく、点滴の終了を常に的確に知ることができる。したがって、医療スタッフの負担を軽減することができ、さらに点滴終了後の処置を常に適切なタイミングで実施できるようになることから医療に対する患者の信頼感を高めることができる。しかも、点滴装置にセンサ等を用いた複雑な検出機能や通信機能を設ける必要がなく、標準的な点滴器具をそのまま使用できるので、点滴装置の高価格化を招かずに済む。また、点滴終了を示すアイコンを作成してこのアイコンをアニメーション表示し、かつ鳴音を発生するようにしている。このため、点滴の終了を他の報知情報と区別して明確に報知することができる。
【００５６】
また、点滴終了時刻ばかりでなく、点滴途中経過を表示パターン６ａにて表示するようにしているので、医療スタッフはナースコール親機２において点滴の進行状況を確認することができ、点滴終了後の処置に備えて余裕を持って準備を行うことが可能となる。さらに、患者ごとに点滴の進行状況及び点滴の終了時刻が予測されて報知されるので、複数の患者に対し並行して点滴が行われる場合でも、医療スタッフは患者別に点滴の進行状況及び点滴の終了時刻を把握することが可能となる。
【００５７】
（その他の実施形態）  
前記第１及び第２の実施形態ではそれぞれ、ナースコール親機２において医療スタッフが入力した点滴開始時刻及び投薬時刻をそのまま使用して点滴終了時刻又は薬効消失時刻を予測するようにした。しかし、病室からナースステーションへの移動に要する時間を考慮して、上記入力された点滴開始時刻及び投薬時刻をナースコール親機２において自動的に補正するようにしてもよい。また、その際の補正値は患者別又は病室別に設定するとよい。これは、患者識別コードをもとに当該患者の病室を特定し、この特定された病室とナースステーションとの間の移動距離をもとに算出することで実現可能である。このようにすると、点滴開始時刻及び投薬時刻の誤差を低減することができ、これにより点滴終了時刻及び投薬時刻をより高精度に予測することが可能となる。
【００５８】
また、前記第１及び第２の実施形態では、オーダデータと点滴開始時刻又は投薬実施時刻をナースコール親機２において入力する場合を例にとって説明したが、医療スタッフが携帯端末７１〜７ｍにおいて入力するようにしてもよい。この場合、携帯端末７１〜７ｍにおいて入力されたオーダデータ及び時刻データは患者識別コードと共に通信回線を介してナースコール親機２に伝送される。ナースコール親機２は、上記携帯端末７１〜７ｍから伝送された入力オーダデータ及び時刻データを通信インタフェース２４により受信して、入力データ記憶部２２ｂに保存する。
【００５９】
このようにすると、携帯端末７１〜７ｍを使用することにより医療スタッフは病室においてオーダデータ及び点滴開始時刻又は投薬時刻のデータを入力することが可能となる。このため医療スタッフは、一旦ナースステーションに戻ってナースコール親機２にオーダデータ及び時刻データを入力する必要がなくなるので、その分負担が軽減される。また、病室においてその場でオーダデータ及び時刻データを入力できることから、データの入力忘れや入力遅れを防止することができる。このため、点滴終了時刻又は薬効消失時刻の予測精度を高く維持することができる。
【００６０】
また、オーダデータをナースコール親機２で入力し、点滴開始時刻又は投薬時刻を携帯端末７１〜７ｍにおいて入力してナースコール親機２に伝送するようにしてもよい。このようにすると、医師や看護師等の医療スタッフは先ずナースコール親機２でオーダデータを入力し、しかるのち病室へ出向いて患者に対し点滴又は投薬を行い、その場で携帯端末７１〜７ｍを使用して点滴開始時刻又は投薬時刻を入力することができる。また、例えば医師が使用する端末において医師がオーダデータを予め入力設定している場合には、このオーダデータを医師の端末からナースコール親機２へ転送することによりそのまま使用することができる。
【００６１】
さらに前記第１及び第２の実施形態では、点滴終了時刻又は薬効消失時刻の報知と、それまでの途中経過の報知をナースコール親機２において行う場合を例にとって説明した。しかし、それに限るものではなく、点滴終了時刻又は薬効消失時刻の報知データ及びそれまでの途中経過を表す報知データを、患者識別コードと共にナースコール親機２から該当患者を担当する医療スタッフの携帯端末７１〜７ｍへ伝送して表示するように構成してもよい。このようにすると、担当医療スタッフがナースステーションに不在の場合でも、点滴終了時刻又は薬効消失時刻が近付いた旨と、それまでの途中経過を示す情報を報知することができる。
【００６２】
また、上記点滴終了時刻又は薬効消失時刻の報知情報を携帯端末７１〜７ｍに送信する場合には、患者の重要度に応じて異なる送信方式を使用するようにしてもよい。例えば、重要度が高い患者についての報知情報を送信する場合には、通話呼出しと同じプロトコルにより携帯端末を呼び出して報知情報を送信する。このようにすると、携帯端末に報知情報をリアルタイムに表示させることができる。これに対し重要度が低い患者についての報知情報を送信する場合には、当該報知情報を電子メールに挿入又は添付して携帯端末へ送信する。このようにすると看護師は、一つの看護業務が一段落したときに、上記電子メールにより受信された報知情報を確認することができる。
【００６３】
さらに前記各実施形態では、患者情報データベースをナースコール親機に設けた場合を例にとって説明した。しかしそれに限らず、患者情報データベースを看護支援サーバ９に設け、ナースコール親機が必要に応じて看護支援サーバ９の患者情報データベースをアクセスすることにより患者の個人情報を取得するようにしてもよい。また、同様にその他のデータベースについても看護支援サーバ９に設けることが可能である。
【００６４】
その他、ナースコールシステムとそのナースコール親機の構成、輸液進行状況及び薬効消失状況の報知制御手順と内容、輸液終了時刻又は薬効消失時刻が近付いた旨の情報と、それまでの途中経過を示す情報の報知形態等についても、この発明の要旨を逸脱しない範囲で種々変形して実施できる。
【００６５】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００６６】
【図１】この発明の第１の実施形態に係わるナースコールシステムの概略構成図。
【図２】図１に示したシステムにおけるナースコール親機の機能構成を示すブロック図。
【図３】図２に示したナースコール親機による点滴状況報知制御の手順と内容を示すフローチャート。
【図４】図２に示したナースコール親機において表示される患者一覧画面の一例を示す図。
【図５】図２に示したナースコール親機において点滴開始時に表示される報知画像の一例を示す図。
【図６】図２に示したナースコール親機において点滴終了時刻の一定時間前に表示される報知画像の一例を示す図。
【図７】この発明の第２の実施形態に係わるナースコール親機の機能構成を示すブロック図。
【図８】図７に示したナースコール親機による薬効消失状況報知制御の手順と内容を示すフローチャート。
【図９】図７に示したナースコール親機において投薬実施直後に表示される報知画像の一例を示す図。
【図１０】図７に示したナースコール親機において薬効消失の過程及び薬効消失時刻の一定時間前に表示される報知画像の一例を示す図。
【符号の説明】
【００６７】
１１〜１ｎ…病室ユニット、２…ナースコール親機、３…ハンディナースコール主装置、４…構内交換機（ＰＢＸ）、５…公衆網、６…無線ユニット、７…ＬＡＮ、８…ハブ、９…看護支援サーバ、１０…プリンタ、２０…中央処理ユニット（ＣＰＵ）、２１，２１０…プログラムメモリ、２１ａ，２１０ａ…データ入力制御プログラム、２１ｂ…点滴進行状況予測プログラム、２１０ｂ…薬効消失状況予測プログラム、２１ｃ，２１０ｃ…予測結果報知制御プログラム、２２，２２０…データメモリ、２２ａ…患者情報データベース、２２ｂ…入力データ記憶部、２３，２４…通信インタフェース、２５…ネットワークインタフェース、２６…通話インタフェース、２６１…マイクロホン、２６２…スピーカ、２７…入力表示インタフェース、２７１…タッチパネル／表示器、６１，６２…無線基地局、７１〜７ｍ…携帯端末、１０１…スピーカ、１０２…マイクロホン、１０３…トイレ・浴室用押しボタン、１０４…代表廊下灯、１０５…復旧ボタン、１０６…Ｉ／Ｏユニット、１０７…個別情報廊下灯、１０８…壁埋め込み型子機、１０９…ハンド型子機、１１０…握り押しボタン。
【図１】
2005237666.tif 000003
【図２】
2005237666.tif 000004
【図３】
2005237666.tif 000005
【図４】
2005237666.tif 000006
【図５】
2005237666.tif 000007
【図６】
2005237666.tif 000008
【図７】
2005237666.tif 000009
【図８】
2005237666.tif 000010
【図９】
2005237666.tif 000011
【図１０】
2005237666.tif 000012